(57)【要約】【課題】本考案は、洗髪中での衣服の濡れを確実に防止するとともに洗髪直後の濡れた頭髪を容易に包み込んで取り扱うことができる洗髪用タオルを提供することを目的とするものである。【解決手段】タオル地１は、左右方向に横長で略台形状に形成されており、平行な上下の対辺のうち上の長辺部に沿ってほぼ中央部分に伸縮部２が形成されている。伸縮部２が縮んだ状態では、長辺部が湾曲した状態となる。伸縮部２の両端部には、係止ボタン３ａ、３ｂ及び係合部４が設けられており、係合部４には、係止ボタン３ａ又は３ｂが係脱可能に係止される。伸縮部２の両側には、タオル地１の延長部５ａ及び５ｂが形成されており、タオル地１の伸縮部２及び短辺部により規定される矩形状の範囲は、頭髪を囲むように形成される部分で、この矩形状の範囲の両側に形成された延長部５ａ及び５ｂは、洗髪時の前掛け部分となる。【選択図】図１
0003109685.tif 000002
【実用新案登録請求の範囲】
【請求項１】
少なくとも一部が頭髪より長い幅を有するタオル地と、タオル地の長さ方向の一側端部に沿ってほぼ中央部分に形成された所定の長さの伸縮部と、伸縮部の一方の端部に取り付けられた係止体と、伸縮部の他方の端部に設けられると共に係止体に係合する係合部とを備え、タオル地は、係止体が係合部に係止されて伸縮部が頭部に装着された際に頭髪を囲むように筒状に形成されると共に係止体が係合部に係止されて伸縮部が首部に装着された際に首回り全体を覆うようになることを特徴とする洗髪用タオル。
【請求項２】
頭髪より長い幅を有する略台形状に形成されたタオル地と、タオル地の平行な対辺の長辺部に沿ってほぼ中央部分に形成されるとともに対辺の短辺部とほぼ同じ長さの伸縮部と、伸縮部の一方の端部に取り付けられた係止体と、伸縮部の他方の端部に設けられると共に係止体に係合する係合部とを備え、タオル地は、係止体が係合部に係止されて伸縮部が頭部に装着された際に頭髪を囲むように筒状に形成され、係止体が係合部に係止されて伸縮部が首部に装着された際に首回り全体を覆うと共に上腕部に被着しないように形成されていることを特徴とする洗髪用タオル。
【考案の詳細な説明】
【技術分野】
【０００１】
本考案は、衣服を着たまま洗髪を行う際に用いられる洗髪用タオルに関する。
【背景技術】
【０００２】
近年一般的な家庭において、朝の出かける前等に洗髪を行う習慣が普及してきているが、こうした洗髪は、浴室ではなく洗面所において衣服を着たまま行われることが多い。そのため、洗髪の際に衣服を濡らさないように注意して行わなければならず、また洗髪後の濡れた頭髪は速やかに脱水して乾燥しなければ、長い頭髪の場合にその取り扱いが難しい。
【０００３】
そこで、こうした洗髪の際の問題点に対処するために、例えば、特許文献１では、タオル地を縦長状の袋体に縫製して形成したヘアーキャップが記載されている。また、特許文献２では、２枚の同形のタオル地により半月形の袋状物に形成し、一端側を頭部挿入部とし、連接する弧状部を毛先収容部とした点が記載されている。また、特許文献３では、左右方向に横長なタオル本体、タオル本体の中央部位の下辺に形成されたフィット辺、タオル本体の中央部位の上辺に形成された伸縮部、タオル本体の左右両端側に形成された絞り部、タオル本体の中央部位に縫着して設けられたサポート体を備えた頭髪巻付けタオルが記載されている。
【特許文献１】実開平２−９０７０４号公報
【特許文献２】登録実用新案第３０２５６９４号公報
【特許文献３】登録実用新案第３０２９９０３号公報
【考案の開示】
【考案が解決しようとする課題】
【０００４】
しかしながら、上記の特許文献では、洗髪後の濡れた頭髪の取り扱いに関するもので、洗髪中の衣服の濡れ防止について対応するものではない。従来は、衣服の濡れ防止のためにバスタオルやタオルを両肩に掛けるなどしているが、バスタオルでは大きすぎて洗髪動作の際に腕にかかったり、バスタオルの両端部が前側に垂れて濡れてしまうことがあった。普通のタオルの場合には逆に小さいため、衣服の濡れ防止には不十分であった。
【０００５】
また、衣服を着たままで洗髪した場合洗髪直後はどうしても前かがみの状態で頭髪のしずくが衣服に垂れないようにしなければならないが、上記特許文献に記載されたものを前かがみの状態で装着する場合、洗面容器等に触れて濡れてしまうこともあり、装着の際に注意しなければならないといった不都合がある。
【０００６】
そこで、本考案は、洗髪中での衣服の濡れを確実に防止するとともに洗髪直後の濡れた頭髪を容易に包み込んで取り扱うことができる洗髪用タオルを提供することを目的とするものである。
【課題を解決するための手段】
【０００７】
本考案に係る洗髪用タオルは、少なくとも一部が頭髪より長い幅を有するタオル地と、タオル地の長さ方向の一側端部に沿ってほぼ中央部分に形成された所定の長さの伸縮部と、伸縮部の一方の端部に取り付けられた係止体と、伸縮部の他方の端部に設けられると共に係止体に係合する係合部とを備え、タオル地は、係止体が係合部に係止されて伸縮部が頭部に装着された際に頭髪を囲むように筒状に形成されると共に係止体が係合部に係止されて伸縮部が首部に装着された際に首回り全体を覆うようになることを特徴とする。
【０００８】
本考案に係る別の洗髪用タオルは、頭髪より長い幅を有する略台形状に形成されたタオル地と、タオル地の平行な対辺の長辺部に沿ってほぼ中央部分に形成されるとともに対辺の短辺部とほぼ同じ長さの伸縮部と、伸縮部の一方の端部に取り付けられた係止体と、伸縮部の他方の端部に設けられると共に係止体に係合する係合部とを備え、タオル地は、係止体が係合部に係止されて伸縮部が頭部に装着された際に頭髪を囲むように筒状に形成され、係止体が係合部に係止されて伸縮部が首部に装着された際に首回り全体を覆うと共に上腕部に被着しないように形成されていることを特徴とする。
【考案の効果】
【０００９】
上記のような構成を有することで、係止体が係合部に係止されて伸縮部が首部に装着された状態で洗髪を行えば、タオル地が首回りを覆うようになって衣服の濡れ防止になり、洗髪直後には、首部に装着された伸縮部をそのまま頭部に移動してタオル地により濡れた頭髪を取り囲むように筒状に包み込めば、洗髪直後にタオル地が前側に垂れることなく頭髪を簡単に包むことができ、濡れた頭髪を容易に取り扱うことが可能となる。
【００１０】
そして、１枚のタオル地で洗髪中及び洗髪後の衣服の濡れ防止や頭髪の乾燥を行うことができるので、複数枚のタオルを使用することがなくなる。
【００１１】
また、本考案に係る別の洗髪用タオルは、タオル地を頭髪より長い幅を有する略台形状に形成し、タオル地の平行な対辺の長辺部に沿ってほぼ中央部分に形成されるとともに対辺の短辺部とほぼ同じ長さの伸縮部を有しているので、伸縮部の両側に形成されるタオル地の延長部は、略三角形状となり、係止体が係合部に係止されて伸縮部が首部に装着された際に上腕部に被着しないようになる。そのため、洗髪動作の際にタオル地が上腕部に掛かって腕の動きに影響を与えることがなくなり、使い勝手がよくなる。
【考案を実施するための最良の形態】
【００１２】
以下、本考案を添付図面に示す実施形態に基づいて詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１３】
図１及び図２は、本考案に係る実施形態の外観図を示しており、図１は後述する伸縮部２が縮んだ状態を示しており、図２は、伸縮部２を伸ばした状態を示している。
【００１４】
タオル地１は、図２に示すように、左右方向に横長で略台形状に形成されており、平行な上下の対辺のうち上の長辺部に沿ってほぼ中央部分に伸縮部２が形成されている。タオル地１の上下方向の幅は、頭髪の長さより長くなるように設定されている。タオル地１は、公知のタオル地を用いればよく、綿繊維等の天然繊維や高吸水性に加工された合成繊維からなる糸をパイル地に織成又は編成したものが好適である。
【００１５】
伸縮部２は、タオル地１の長辺部を折り返してその内部にゴム紐が縫着されており、伸縮部２が縮んだ状態では、図１に示すように、長辺部が湾曲した状態となる。伸縮部２の長さは、図２に示す伸び切った状態で下の短辺部をほぼ同じ長さに設定されている。
【００１６】
伸縮部２の右端部には、係止ボタン３ａ、３ｂが長辺部に沿って取り付けられている。また、左端部には、紐をループ状となるように縫い付けた係合部４が設けられており、係合部４には、係止ボタン３ａ又は３ｂが係脱可能に係止される。
【００１７】
伸縮部２の両側には、タオル地１の延長部５ａ及び５ｂが形成されており、延長部５ａ及び５ｂは、下に向かって幅狭となるように略逆三角形状に形成されている。後述するように、タオル地１の伸縮部２及び短辺部により規定される矩形状の範囲は、頭髪を囲むように形成される部分で、この矩形状の範囲の両側に形成された延長部５ａ及び５ｂは、洗髪時の前掛け部分となる。
【００１８】
図３から図９には、図１の示した洗髪用タオルの使用方法を順を追って示した使用状態図である。まず洗髪前に図３に示すように、伸縮部２が首回りに来るようにタオル地１を両肩に掛けると、タオル地１の伸縮部２及び短辺部で規定される矩形状の範囲は背中と頭髪の間に配置されて背中を覆い、両側の延長部５ａ及び５ｂは、肩から胸側にかけて配置され、主に使用者の前側を覆うようになる。
【００１９】
そして、図４に示すように、係止ボタン３ｂを係合部４に引っ掛けると、タオル地により使用者の首回り全体を覆った状態となる。この状態で洗髪を行えば、衣服が濡れることを確実に防止することができる。また、延長部５ａ及び５ｂは、両肩に被着する程度となるので、洗髪の際に腕の動きを妨げるようなことはない。なお、係止ボタンは３ａ又は３ｂ、使用者の首回りや頭部のサイズに応じて適宜選択して係合部４に係止するようにすればよい。
【００２０】
洗髪が終了すると、図５に示すように、首回りに装着した伸縮部２を頭部の方に引き上げて、頭髪の生え際当りまで移動させる。移動の際係止ボタン３ｂは係合部４に引っ掛けてままの状態で行う。この場合濡れた頭髪をかき上げて背中の方に移動させてもタオル地１の幅が頭髪よりも長く設定されているので、頭髪はタオル地１に接触した状態となり、衣服が濡れることはない。また、伸縮部２を引き伸ばしながら移動させるので、伸縮部２が頭部に密着した状態で移動し、濡れた頭髪からしずくが顔面に流れて来ることを防止する。
【００２１】
伸縮部２を移動させた後、図６に示すように、タオル地１の両側の延長部５ａ及び５ｂの端部を摘み上げて頭部の天頂部を覆うように交互に引き上げる。この例では、まず、延長部５ａを天頂部を覆うように引き上げた後延長部５ｂを引き上げるようにしている。そして、図７に示すように、タオル地１で頭髪全体を囲むように筒状に形成する。この状態では、伸縮部２及び短辺部はほぼ同じ長さに設定されているので、頭髪の根元から先端まですべて覆うようになり、さらに、延長部５ａ及び５ｂが天頂部において重なるようになるので、頭髪がはみ出ることなく確実にタオル地１で包み込むことができる。
【００２２】
そして、図８に示すように、タオル地１で包まれた頭髪全体を持ち上げて天頂部に移動させる。この場合、頭部には伸縮部２が密着した状態装着されているので、頭髪からのしずくが漏れ出ることは防止される。持ち上げられた頭髪とタオル地１を天頂部に張り付けた状態でタオル地１の先端部を延長部５ａ及び５ｂの重なり合った隙間に挿入して図９に示すようにタオル地１で頭髪を包み込んだ状態とする。この状態では、タオル地１で包まれた頭髪が折畳まれて先端部が持ち上げられた状態で保持されるので、頭髪から水滴が垂れることなく、衣服が濡れることがない。
【００２３】
以上説明したように、本考案に係る洗髪用タオルを用いることで、洗髪中から洗髪後の濡れた頭髪の取り扱いまで１枚のタオル地で衣服の濡れを確実に防止することができ、そのためのタオル地の扱い方も簡単に行うことができる。
【００２４】
なお、上記の例では、延長部５ａ及び５ｂは、略逆三角形状に形成しているが、首回りにタオル地を装着した際に上腕部に被着せず使用者の前側を覆う形状であればどのような形状であってもよい。
【図面の簡単な説明】
【００２５】
【図１】本考案に係る実施形態に関する外観図である。
【図２】本考案に係る実施形態に関する外観図である。
【図３】本考案に係る実施形態の使用方法に関する説明図である。
【図４】本考案に係る実施形態の使用方法に関する説明図である。
【図５】本考案に係る実施形態の使用方法に関する説明図である。
【図６】本考案に係る実施形態の使用方法に関する説明図である。
【図７】本考案に係る実施形態の使用方法に関する説明図である。
【図８】本考案に係る実施形態の使用方法に関する説明図である。
【図９】本考案に係る実施形態の使用方法に関する説明図である。
【符号の説明】
【００２６】
１    タオル地
２    伸縮部
３    係止ボタン
４    係合部
５    延長部
【図１】
0003109685.tif 000003
【図２】
0003109685.tif 000004
【図３】
0003109685.tif 000005
【図４】
0003109685.tif 000006
【図５】
0003109685.tif 000007
【図６】
0003109685.tif 000008
【図７】
0003109685.tif 000009
【図８】
0003109685.tif 000010
【図９】
0003109685.tif 000011